(57)【特許請求の範囲】
【請求項１】
周波数領域において連続する複数のサブキャリアを分割し、かつ、一サブフレームを２つに分割してなる、複数のフィジカル・リソース・ブロックのうち、前記周波数領域において所定間隔で離れた２つの前記フィジカル・リソース・ブロックであって、一サブフレーム内の前記２つのフィジカル・リソース・ブロックに配置された同一の番号のディストリビューテッド・バーチャル・リソース・ブロックを割り当てる第一の割当てによって割り当てられた前記ディストリビューテッド・バーチャル・リソース・ブロックを示す第一の割当情報を受信し、前記第一の割当情報に基づいて、割り当てられた前記ディストリビューテッド・バーチャル・リソース・ブロックを用いて送信されたデータを受信する受信部と、
前記第一の割当情報に基づいて、前記データを復号する復号部と、
を有し、
前記所定間隔は、周波数領域で連続する所定数の前記フィジカル・リソース・ブロックから構成されるリソース・ブロック・グループを単位として、前記フィジカル・リソース・ブロックを割り当てる第二の割当てにおける前記所定数と、システム帯域幅とに関連付けられ、前記所定間隔は、前記所定数の整数倍である、
移動局装置。
【請求項２】
周波数領域において連続する複数のサブキャリアを分割し、かつ、一サブフレームを２つに分割してなる、複数のフィジカル・リソース・ブロックのうち、前記周波数領域において所定間隔で離れた２つの前記フィジカル・リソース・ブロックであって、一サブフレーム内の前記２つのフィジカル・リソース・ブロックに配置された同一の番号のディストリビューテッド・バーチャル・リソース・ブロックを、移動局に割り当てる第一の割当てによって割り当てられた前記ディストリビューテッド・バーチャル・リソース・ブロックを示す第一の割当情報を受信し、前記第一の割当情報に基づいて、割り当てられた前記ディストリビューテッド・バーチャル・リソース・ブロックを用いて送信されたデータを受信する受信部と、
前記第一の割当情報に基づいて、前記データを復号する復号部と、
を有し、
前記所定間隔は、前記複数のフィジカル・リソース・ブロックを、リソース・ブロック・グループ・サイズ単位でグループ化したリソース・ブロック・グループを単位として、前記フィジカル・リソース・ブロックを割り当てる第二の割当てにおける前記リソース・ブロック・グループ・サイズと、システム帯域幅とに関連付けられ、前記所定間隔は、前記リソース・ブロック・グループ・サイズの整数倍であり、
前記リソース・ブロック・グループ・サイズは、前記リソース・ブロック・グループを構成する連続する前記フィジカル・リソース・ブロックの所定数である、
移動局装置。
【請求項３】
前記受信部は、前記第二の割当ておいて、割り当てられた前記フィジカル・リソース・ブロックを示す第二の割当情報を受信する、
請求項１又は２に記載の移動局装置。
【請求項４】
前記第二の割当情報は、割り当てられた前記リソース・ブロック・グループを示す、ビットマップ型の割当情報である、
請求項３に記載の移動局装置。
【請求項５】
前記第一の割当てにおいて、連続する番号の複数のディストリビューテッド・バーチャル・リソース・ブロックが割り当てられ、前記第一の割当情報は、割り当てられた前記連続する番号の複数のディストリビューテッド・バーチャル・リソース・ブロックにおける、最初の番号及び個数に基づく割当情報である、
請求項１から４のいずれかに記載の移動局装置。
【請求項６】
前記第一の割当てにおいて、連続する番号の複数のディストリビューテッド・バーチャル・リソース・ブロックが割り当てられる、
請求項１から４のいずれかに記載の移動局装置。
【請求項７】
前記第二の割当てにおいて、前記フィジカル・リソース・ブロックに、ローカライズド・バーチャル・リソース・ブロックが配置され、前記ローカライズド・バーチャル・リソース・ブロックが、前記リソース・ブロック・グループ単位で、割り当てられる、
請求項１から６のいずれかに記載の移動局装置。
【請求項８】
連続する番号の複数の前記ローカライズド・バーチャル・リソース・ブロックが、割り当てられる、
請求項７に記載の移動局装置。
【請求項９】
前記所定間隔は、所定のシステム帯域幅及び前記所定のシステム帯域幅における前記所定数から算出される、
請求項１から８のいずれかに記載の移動局装置。
【請求項１０】
前記第二の割当てにおいて、前記複数のリソース・ブロック・グループのうち、一つ又は複数が割り当てられる、
請求項１から９のいずれかに記載の移動局装置。
【請求項１１】
前記第一の割当てにおいて、前記同一の番号のディストリビューテッド・バーチャル・リソース・ブロックが、時間領域において異なる前記２つのフィジカル・リソース・ブロックに配置される、
請求項１から１０のいずれかに記載の移動局装置。
【請求項１２】
前記第二の割当てにおいて、前記ディストリビューテッド・バーチャル・リソース・ブロックが配置されない前記フィジカル・リソース・ブロックが割り当てられる、
請求項１から１１のいずれかに記載の移動局装置。
【請求項１３】
２つのディストリビューテッド・バーチャル・リソース・ブロックが、一サブフレーム内の同一周波数における２つの前記フィジカル・リソース・ブロックに、それぞれ配置される、
請求項１から１２のいずれかに記載の移動局装置。
【請求項１４】
前記周波数領域において隣接する２つの前記フィジカル・リソース・ブロックに、番号が不連続であるディストリビューテット・バーチャル・リソース・ブロックが配置される、
請求項１から１３のいずれかに記載の移動局装置。
【請求項１５】
Ｎｒｂを前記フィジカル・リソース・ブロックの総数としてのシステム帯域幅とし、前記所定間隔を、前記所定数の整数倍で、Ｎｒｂ／２以下の間隔のうち、最大の間隔とする、
請求項１から１４のいずれかに記載の移動局装置。
【請求項１６】
前記所定間隔を、システム帯域幅に応じて採り得る、前記所定数の整数倍の間隔のうち、最大の間隔とする、
請求項１から１４のいずれかに記載の移動局装置。
【請求項１７】
周波数領域において連続する複数のサブキャリアを分割し、かつ、一サブフレームを２つに分割してなる、複数のフィジカル・リソース・ブロックのうち、前記周波数領域において所定間隔で離れた２つの前記フィジカル・リソース・ブロックであって、一サブフレーム内の前記２つのフィジカル・リソース・ブロックに配置された同一の番号のディストリビューテッド・バーチャル・リソース・ブロックを割り当てる第一の割当てによって割り当てられた前記ディストリビューテッド・バーチャル・リソース・ブロックを示す第一の割当情報を受信し、前記第一の割当情報に基づいて、割り当てられた前記ディストリビューテッド・バーチャル・リソース・ブロックを用いて送信されたデータを受信する受信処理と、
前記第一の割当情報に基づいて、前記データを復号する復号処理と、
を制御し、
前記所定間隔は、周波数領域で連続する所定数の前記フィジカル・リソース・ブロックから構成されるリソース・ブロック・グループを単位として、前記フィジカル・リソース・ブロックを割り当てる第二の割当てにおける前記所定数と、システム帯域幅とに関連付けられ、前記所定間隔は、前記所定数の整数倍である、
集積回路。
【請求項１８】
周波数領域において連続する複数のサブキャリアを分割し、かつ、一サブフレームを２つに分割してなる、複数のフィジカル・リソース・ブロックのうち、前記周波数領域において所定間隔で離れた２つの前記フィジカル・リソース・ブロックであって、一サブフレーム内の前記２つのフィジカル・リソース・ブロックに配置された同一の番号のディストリビューテッド・バーチャル・リソース・ブロックを割り当てる第一の割当てによって割り当てられた前記ディストリビューテッド・バーチャル・リソース・ブロックを示す第一の割当情報を受信し、前記第一の割当情報に基づいて、割り当てられた前記ディストリビューテッド・バーチャル・リソース・ブロックを用いて送信されたデータを受信する工程と、
前記第一の割当情報に基づいて、前記データを復号する工程と、
を有し、
前記所定間隔は、周波数領域で連続する所定数の前記フィジカル・リソース・ブロックから構成されるリソース・ブロック・グループを単位として、前記フィジカル・リソース・ブロックを割り当てる第二の割当てにおける前記所定数と、システム帯域幅とに関連付けられ、前記所定間隔は、前記所定数の整数倍である、
データ受信方法。
【発明の詳細な説明】
【技術分野】
【０００１】
本発明は、移動局装置、集積回路及びデータ受信方法に関する。
【背景技術】
【０００２】
近年、無線通信、特に移動体通信では、音声以外に画像やデータなどの様々な情報が伝送の対象になっている。今後は、さらに高速な伝送に対する要求がさらに高まるであろうと予想され、高速伝送を行うために、限られた周波数資源をより効率よく利用して、高い伝送効率を実現する無線伝送技術が求められている。
【０００３】
このような要求に応え得る無線伝送技術の一つにＯＦＤＭ（Orthogonal Frequency Division Multiplexing）がある。ＯＦＤＭは、多数のサブキャリアを用いてデータを並列伝送するマルチキャリア伝送技術であり、高い周波数利用効率、マルチパス環境下のシンボル間干渉低減などの特徴を持ち、伝送効率の向上に有効であることが知られている。
【０００４】
このＯＦＤＭを下り回線に用い、複数の無線通信移動局装置（以下、単に移動局という）へのデータを複数のサブキャリアに周波数多重する場合に、周波数スケジューリング送信および周波数ダイバーシチ送信を行うことが検討されている。
【０００５】
周波数スケジューリング送信では、無線通信基地局装置（以下、単に基地局という）が各移動局での周波数帯域毎の受信品質に基づいて各移動局に対して適応的にサブキャリアを割り当てるため、最大限のマルチユーザダイバーシチ効果を得ることができ、非常に効率良く通信を行うことができる。このような周波数スケジューリング送信は、主に、移動局の低速移動時のデータ通信または高速データ通信に適した方式である。一方で、周波数スケジューリング送信には各移動局からの受信品質情報のフィードバックが必要となるため、周波数スケジューリング送信は移動局の高速移動時のデータ通信には不向きである。また、周波数スケジューリングは、通常、サブフレームと呼ばれる送信時間単位で、隣接するサブキャリアをいくつかまとめてブロック化したリソースブロック（ＲＢ：Resource Block）毎に行われる。このような周波数スケジューリング送信を行うためのチャネルはLocalized Channel（以下、Ｌｃｈという）と呼ばれる。
【０００６】
これに対し、周波数ダイバーシチ送信は、各移動局へのデータを全帯域のサブキャリアに分散させて割り当てるため、高い周波数ダイバーシチ効果を得ることができる。また、周波数ダイバーシチ送信は、移動局からの受信品質情報を必要としないため、上記のように周波数スケジューリング送信が適用困難な状況において有効な方式である。一方で、周波数ダイバーシチ送信は、各移動局での受信品質と無関係に行われるため、周波数スケジューリング送信のようなマルチユーザダイバーシチ効果を得られない。このような周波数ダイバーシチ送信を行うためのチャネルはDistributed Channel（以下、Ｄｃｈという）と呼ばれる。
【０００７】
また、Ｌｃｈにおける周波数スケジューリング送信とＤｃｈにおける周波数ダイバーシチ送信とを同時に行うことが考えられる。すなわち、１ＯＦＤＭシンボルの複数のサブキャリア上においてＬｃｈに使用されるＲＢとＤｃｈに使用されるＲＢとを周波数多重することが考えられる。この際、各ＲＢとＬｃｈとの対応付け、および、各ＲＢとＤｃｈとの対応付けが予めなされており、サブフレーム単位でどのＲＢをＬｃｈまたはＤｃｈとして使用するのかを制御する。
【０００８】
また、Ｄｃｈに使用されるＲＢをさらに複数のサブブロックに分割し、異なるＲＢのサブブロックの組み合わせにより１つのＤｃｈを構成することが検討されている（例えば、非特許文献１参照）。具体的には、ＲＢを２つのサブブロックに分割する場合、１つのＤｃｈは、２つの分散したサブブロックに配置される。
【先行技術文献】
【非特許文献】
【０００９】
【非特許文献１】R1-072431 “Comparison between RB-level and Sub-carrier-level Distributed Transmission for Shared Data Channel in E-UTRA Downlink”3GPP TSG RAN WG1 LTE Meeting ,Kobe, Japan, 7-11 May, 2007
【発明の概要】
【発明が解決しようとする課題】
【００１０】
上記従来技術では、１つのＤｃｈが割り当てられるＲＢの間隔（以下、ＲＢ間隔という）は予め決定されている。例えば、１つのＤｃｈは、ＲＢ間隔がｆｌｏｏｒ（全ＲＢ数／２）である２つのＲＢのサブブロックに配置される。ここで、演算子ｆｌｏｏｒ（ｘ）はｘを超えない最大の整数を表す。これにより、Ｄｃｈのチャネル番号のみを基地局から移動局に通知すればよいため、制御情報量を少なく抑えることができる。さらに、すべてのＲＢに対してＤｃｈを均等な間隔で割り当てることができる。このように、１つのＤｃｈが配置されるＲＢのＲＢ間隔は予め決定されているため、Ｄｃｈ割当とＬｃｈ割当との衝突を防ぐために、基地局は、Ｄｃｈをリソースブロックに割り当てた後にＬｃｈをリソースブロックに割り当てる。
【００１１】
ここで、基地局が１つの移動局に複数のＤｃｈを割り当てる場合、どのＤｃｈがリソースブロックに割り当てられても周波数ダイバーシチ効果はほとんど変わらないため、連続したチャネル番号の複数のＤｃｈを割り当てる。これにより、連続したチャネル番号のうち先頭のチャネル番号および末尾のチャネル番号のみを基地局から移動局に通知することで、移動局は自局に割り当てられたＤｃｈを判断することができる。よって、Ｄｃｈの割当結果を通知するための制御情報を削減することができる。
【００１２】
一方で、基地局がＬｃｈを割り当てる際、品質の良好なＲＢにＬｃｈを割り当てるために、ビットマップ型の割当通知により基地局から移動局に対してＬｃｈを割り当てたＲＢを通知する。ここで、基地局は、複数のＲＢを複数のＲＢグループにグループ化し、ＲＢグループ単位でＬｃｈを割り当てることにより、Ｌｃｈの割当結果を通知するための制御情報を削減することができる。例えば、１４ＲＢのシステムにおいて、ＲＢ毎の割り当てでは１４ビットの制御情報が必要であるが、２ＲＢで構成されるＲＢグループ単位の割り当てでは７ビットの制御情報で済む。
【００１３】
しかしながら、ＤｃｈとＬｃｈとが混在する場合、１つのＤｃｈが割り当てられるＲＢのＲＢ間隔をｆｌｏｏｒ（全ＲＢ数／２）とすると、ＬｃｈがＲＢグループ単位で割り当てられない場合が生じる。そのため、ＲＢに空きが生じることがあり、通信リソースの利用効率が低下してしまう可能性がある。その結果、システムスループットが低下してしまう。ここで、使用されず空きとなるＲＢをＬｃｈに割り当てるためには、ＲＢ単位でのＬｃｈ割当が必要となる。しかし、Ｌｃｈの割当結果を通知するための制御情報量が膨大となり、結果としてシステムスループットが低下してしまう。
【００１４】
例えば、周波数領域で連続する１４個のＲＢ＃１〜＃１４の各々が２つのサブブロックに分割され、連続するチャネル番号のＤｃｈ＃１〜＃１４とＲＢ＃１〜＃１４とを対応付ける場合、１つのＤｃｈは、７（＝ｆｌｏｏｒ（１４／２））ＲＢ間隔で配置される。つまり、ＲＢ＃１〜＃７の一方のサブブロックにＤｃｈ＃１〜＃７がそれぞれ対応付けられ、ＲＢ＃１〜＃７の他方のサブブロックにＤｃｈ＃８〜＃１４がそれぞれ対応付けられる。同様に、ＲＢ＃８〜＃１４の一方のサブブロックにＤｃｈ＃１〜＃７がそれぞれ対応付けられ、ＲＢ＃８〜＃１４の他方のサブブロックにＤｃｈ＃８〜＃１４がそれぞれ対応付けられる。これにより、Ｄｃｈ＃１は、ＲＢ＃１のサブブロックとＲＢ＃８のサブブロックとにより構成され、Ｄｃｈ＃２は、ＲＢ＃２のサブブロックとＲＢ＃９のサブブロックとにより構成される。Ｄｃｈ＃３〜＃１４についても同様である。
【００１５】
ここで、２つのＤｃｈ（例えば、Ｄｃｈ＃１およびＤｃｈ＃２）を割り当てる場合、ＲＢ＃１，＃２，＃８，＃９にＤｃｈが割り当てられ、残りのＲＢにＬｃｈが割り当てられる。Ｌｃｈが２ＲＢのＲＢグループ単位で割り当てられる場合、（ＲＢ＃３，＃４）、（ＲＢ＃５，＃６）、（ＲＢ＃１１，＃１２）および（ＲＢ＃１３，＃１４）のＲＢグループにＬｃｈが割り当てられる。しかしながら、ＲＢ＃７およびＲＢ＃１０は、それぞれのＲＢグループを構成する他方のＲＢがＤｃｈに割り当てられているため、Ｌｃｈを割り当てることができなくなる。このように、使用されず空きとなるＲＢが生じて、通信リソースの利用効率が低下することでシステムスループットが低下してしまう可能性がある。ここで、使用されず空きとなるＲＢ（ＲＢ＃７およびＲＢ＃１０）をＬｃｈに割り当てるためには、ＲＢ単位でのＬｃｈ割当が必要となる。しかし、ＲＢ単位でのＬｃｈ割当では、Ｌｃｈの割当結果を通知するための制御情報量が膨大となり、結果としてシステムスループットが低下してしまう。
【００１６】
本発明の目的は、マルチキャリア通信において周波数スケジューリング送信と周波数ダイバーシチ送信とを同時に行う際に、通信リソースの利用効率の低下によるシステムスループットの低下を防ぐことができる移動局装置、集積回路及びデータ受信方法を提供することである。
【課題を解決するための手段】
【００１７】
本発明の態様の一つに係るチャネル配置方法は、マルチキャリア信号を構成する複数のサブキャリアを複数のリソースブロックに分け、前記複数のリソースブロックを複数のグループにグループ化し、前記複数のリソースブロックにおいて、１つのグループを構成するリソースブロック数の整数倍の間隔で１つのディストリビューテッドチャネルを配置するようにした。
【発明の効果】
【００１８】
本発明によれば、マルチキャリア通信において周波数スケジューリング送信と周波数ダイバーシチ送信とを同時に行う際に、通信リソースの利用効率の低下を防ぐことができる。
【図面の簡単な説明】
【００１９】
【図１】本発明の実施の形態に係る基地局の構成を示すブロック図
【図２】本発明の実施の形態に係る移動局の構成を示すブロック図
【図３】本発明の実施の形態に係るＬｃｈの配置方法
【図４】本発明の実施の形態の配置方法１に係るＤｃｈの配置方法
【図５】本発明の実施の形態の配置方法１に係る割当例
【図６】本発明の実施の形態の配置方法１に係るＤｃｈの配置方法（３分割の場合）
【図７】本発明の実施の形態の配置方法２に係るＤｃｈの配置方法
【図８】本発明の実施の形態の配置方法２に係る割当例
【図９】本発明の実施の形態の配置方法３に係るＤｃｈの配置方法（配置方法１を用いた場合）
【図１０】本発明の実施の形態の配置方法３に係るＤｃｈの配置方法（配置方法２を用いた場合）
【図１１】本発明の実施の形態の配置方法４に係るＤｃｈの配置方法（配置方法１を用いた場合）
【図１２】本発明の実施の形態の配置方法４に係るＤｃｈの配置方法（配置方法２を用いた場合）
【図１３】本発明の実施の形態の配置方法５に係るＤｃｈの配置方法（配置方法１を用いた場合）
【図１４】本発明の実施の形態の配置方法５に係るＤｃｈの配置方法（配置方法２を用いた場合）
【発明を実施するための形態】
【００２０】
以下、本発明の実施の形態について、添付図面を参照して詳細に説明する。
【００２１】
本実施の形態に係る基地局１００の構成を図１に示す。基地局１００は、マルチキャリア信号であるＯＦＤＭシンボルを構成する複数のサブキャリアを複数のＲＢに分け、それら複数のＲＢにおいて、ＲＢ毎にＤｃｈおよびＬｃｈを使用する。また、同一サブフレームでは、１つの移動局に対してＤｃｈまたはＬｃｈのいずれかが割り当てられる。
【００２２】
基地局１００において、Ｄｃｈデータのための符号化部１１および変調部１２からなる符号化・変調部１０１−１〜１０１−ｎ、Ｌｃｈデータのための符号化部２１および変調部２２からなる符号化・変調部１０２−１〜１０２−ｎ、および、復調部３１および復号部３２からなる復調・復号部１１５−１〜１１５−ｎは、基地局１００が通信可能な移動局（ＭＳ）の数ｎだけ備えられる。
【００２３】
符号化・変調部１０１−１〜１０１−ｎにおいて、符号化部１１は、移動局＃１〜＃ｎ毎のＤｃｈデータ＃１〜＃ｎに対してターボ符号等の符号化処理を行い、変調部１２は、符号化後のＤｃｈデータに対して変調処理を行ってＤｃｈデータシンボルを生成する。
【００２４】
符号化・変調部１０２−１〜１０２−ｎにおいて、符号化部２１は、移動局＃１〜＃ｎ毎のＬｃｈデータ＃１〜＃ｎに対してターボ符号等の符号化処理を行い、変調部２２は、符号化後のＬｃｈデータに対して変調処理を行ってＬｃｈデータシンボルを生成する。このときの符号化率および変調方式は、適応制御部１１６から入力されるＭＣＳ（Modulation and Coding Scheme：ＭＣＳ）情報に従う。
【００２５】
割当部１０３は、適応制御部１１６からの制御に従って、ＤｃｈデータシンボルおよびＬｃｈデータシンボルを、ＯＦＤＭシンボルを構成する各サブキャリアに割り当てて多重部１０４に出力する。この際、割当部１０３は、ＤｃｈデータシンボルおよびＬｃｈデータシンボルを、ＲＢ毎にそれぞれまとめて割り当てる。さらに、割当部１０３は、Ｌｃｈデータシンボルを割り当てる際、複数のＲＢを複数のグループにグループ化し、ＲＢグループ単位でＬｃｈを割り当てる。また、割当部１０３は、１つの移動局のＤｃｈデータシンボルに複数のＤｃｈを使用する場合、連続したチャネル番号のＤｃｈを使用する。また、割当部１０３は、Ｄｃｈデータシンボルを、１つのＲＢグループを構成するＲＢ数の整数倍の間隔で１つのＤｃｈが配置された複数のＲＢに割り当てる。なお、各ＲＢではＤｃｈおよびＬｃｈの配置位置が予め対応付けられている。つまり、割当部１０３は、ＤｃｈおよびＬｃｈと、ＲＢとの対応付けである配置パターンを予め保持し、配置パターンに従ってＤｃｈデータシンボルおよびＬｃｈデータシンボルを各ＲＢに割り当てる。本実施の形態におけるＤｃｈの配置方法の詳細については後述する。また、割当部１０３は、Ｄｃｈデータシンボルの割当情報（どの移動局のＤｃｈデータシンボルをどのＲＢに割り当てたかを示す情報）およびＬｃｈデータシンボルの割当情報（どの移動局のＬｃｈデータシンボルをどのＲＢに割り当てたかを示す情報）を制御情報生成部１０５に出力する。例えば、Ｄｃｈデータシンボルの割当情報には、連続したチャネル番号のうち先頭のチャネル番号および末尾のチャネル番号のみが含まれる。
【００２６】
制御情報生成部１０５は、Ｄｃｈデータシンボルの割当情報、Ｌｃｈデータシンボルの割当情報、および、適応制御部１１６から入力されるＭＣＳ情報を含む制御情報を生成して符号化部１０６に出力する。
【００２７】
符号化部１０６は、制御情報に対して符号化処理を行い、変調部１０７は、符号化後の制御情報に対して変調処理を行って多重部１０４に出力する。
【００２８】
多重部１０４は、割当部１０３から入力される各データシンボルに制御情報を多重してＩＦＦＴ（Inverse Fast Fourier Transform）部１０８に出力する。なお、制御情報の多重は、例えばサブフレーム毎に行われる。また、本実施の形態においては、制御情報の多重は、時間多重または周波数多重のいずれでもよい。
【００２９】
ＩＦＦＴ部１０８は、制御情報およびデータシンボルが割り当てられた複数のＲＢを構成する複数のサブキャリアに対してＩＦＦＴを行って、マルチキャリア信号であるＯＦＤＭシンボルを生成する。
【００３０】
ＣＰ（Cyclic Prefix）付加部１０９は、ＯＦＤＭシンボルの後尾部分と同じ信号をＣＰとしてＯＦＤＭシンボルの先頭に付加する。
【００３１】
無線送信部１１０は、ＣＰ付加後のＯＦＤＭシンボルに対しＤ／Ａ変換、増幅およびアップコンバート等の送信処理を行ってアンテナ１１１から各移動局へ送信する。
【００３２】
一方、無線受信部１１２は、最大ｎ個の移動局から同時に送信されたｎ個のＯＦＤＭシンボルをアンテナ１１１を介して受信し、これらのＯＦＤＭシンボルに対しダウンコンバート、Ａ／Ｄ変換等の受信処理を行う。
【００３３】
ＣＰ除去部１１３は、受信処理後のＯＦＤＭシンボルからＣＰを除去する。
【００３４】
ＦＦＴ（Fast Fourier Transform）部１１４は、ＣＰ除去後のＯＦＤＭシンボルに対してＦＦＴを行って、周波数領域で多重された移動局毎の信号を得る。ここで、各移動局は互いに異なるサブキャリアまたは互いに異なるＲＢを用いて信号を送信しており、移動局毎の信号にはそれぞれ、各移動局から報告されるＲＢ毎の受信品質情報が含まれている。なお、各移動局では、ＲＢ毎の受信品質を、受信ＳＮＲ、受信ＳＩＲ、受信ＳＩＮＲ、受信ＣＩＮＲ、受信電力、干渉電力、ビット誤り率、スループット、所定の誤り率を達成できるＭＣＳ等により測定することができる。また、受信品質情報は、ＣＱＩ（Channel Quality Indicator）またはＣＳＩ（Channel State Information）等と表されることがある。
【００３５】
復調・復号部１１５−１〜１１５−ｎにおいて、復調部３１は、ＦＦＴ後の信号に対して復調処理を行い、復号部３２は、復調後の信号に対して復号処理を行う。これにより、受信データが得られる。受信データのうち受信品質情報が適応制御部１１６に入力される。
【００３６】
適応制御部１１６は、各移動局から報告されたＲＢ毎の受信品質情報に基づいてＬｃｈデータに対する適応制御を行う。すなわち、適応制御部１１６は、ＲＢ毎の受信品質情報に基づいて、符号化・変調部１０２−１〜１０２−ｎに対しては、所要誤り率を満たすことができるＭＣＳの選択をＲＢグループ毎に行ってＭＣＳ情報を出力し、割当部１０３に対しては、Max SIR法やProportional Fairness法等のスケジューリングアルゴリズムを用いて、Ｌｃｈデータ＃１〜＃ｎの各々をどのＲＢグループに割り当てるかを決定する周波数スケジューリングを行う。また、適応制御部１１６は、ＲＢグループ毎のＭＣＳ情報を制御情報生成部１０５に出力する。
【００３７】
次に、本実施の形態に係る移動局２００の構成を図２に示す。移動局２００は、複数のＲＢに分けられた複数のサブキャリアで構成されるＯＦＤＭシンボルであるマルチキャリア信号を基地局１００（図１）から受信する。また、複数のＲＢにおいて、ＲＢ毎にＤｃｈおよびＬｃｈが使用される。また、同一サブフレームでは、移動局２００に対してＤｃｈまたはＬｃｈのいずれかが割り当てられる。
【００３８】
移動局２００において、無線受信部２０２は、基地局１００から送信されたＯＦＤＭシンボルをアンテナ２０１を介して受信し、ＯＦＤＭシンボルに対しダウンコンバート、Ａ／Ｄ変換等の受信処理を行う。
【００３９】
ＣＰ除去部２０３は、受信処理後のＯＦＤＭシンボルからＣＰを除去する。
【００４０】
ＦＦＴ部２０４は、ＣＰ除去後のＯＦＤＭシンボルに対してＦＦＴを行って、制御情報およびデータシンボルが多重された受信信号を得る。
【００４１】
分離部２０５は、ＦＦＴ後の受信信号を制御信号とデータシンボルとに分離する。そして、分離部２０５は、制御信号を復調・復号部２０６に出力し、データシンボルをデマッピング部２０７に出力する。
【００４２】
復調・復号部２０６において、復調部４１は、制御信号に対して復調処理を行い、復号部４２は、復調後の信号に対して復号処理を行う。ここで、制御情報は、Ｄｃｈデータシンボルの割当情報、Ｌｃｈデータシンボルの割当情報、および、ＭＣＳ情報を含む。そして、復調・復号部２０６は、制御情報のうち、Ｄｃｈデータシンボルの割当情報およびＬｃｈデータシンボルの割当情報をデマッピング部２０７に出力する。
【００４３】
デマッピング部２０７は、復調・復号部２０６から入力される割当情報に基づいて、分離部２０５から入力されるデータシンボルが割り当てられている複数のＲＢから、自局に割り当てられたデータシンボルを抽出する。なお、基地局１００（図１）と同様、各ＲＢでは、ＤｃｈおよびＬｃｈの配置位置が予め対応付けられている。つまり、デマッピング部２０７は、基地局１００の割当部１０３と同一の配置パターンを予め保持し、配置パターンに従ってＤｃｈデータシンボルおよびＬｃｈデータシンボルを複数のＲＢから抽出する。また、デマッピング部２０７は、Ｌｃｈデータシンボルを抽出する際、複数のＲＢが複数のグループにグループ化された、ＲＢグループ単位でＬｃｈを抽出する。また、上述したように、基地局１００の割当部１０３（図１）では、１つの移動局のＤｃｈデータシンボルに複数のＤｃｈを使用する場合、連続したチャネル番号のＤｃｈを使用する。また、基地局１００からの制御情報に含まれる割当情報には、Ｄｃｈデータシンボルに使用されたＤｃｈの連続したチャネル番号のうち先頭のチャネル番号および末尾のチャネル番号のみが示されている。そこで、デマッピング部２０７は、割当情報に示される先頭のチャネル番号および末尾のチャネル番号に基づいて、自局に割り当てられたＤｃｈデータシンボルに使用されたＤｃｈを特定する。具体的には、デマッピング部２０７は、割当情報に示される先頭のチャネル番号から、割当情報に示される末尾のチャネル番号までの連続する複数のＤｃｈを、自局に割り当てられたＤｃｈデータシンボルに使用されたＤｃｈであると特定する。そして、デマッピング部２０７は、特定されたＤｃｈのチャネル番号と対応付けられたＲＢを抽出し、抽出したＲＢに割り当てられているデータシンボルを復調・復号部２０８に出力する。
【００４４】
復調・復号部２０８において、復調部５１は、デマッピング部２０７から入力されたデータシンボルに対して復調処理を行い、復号部５２は、復調後の信号に対して復号処理を行う。これにより、受信データが得られる。
【００４５】
一方、符号化・変調部２０９において、符号化部６１は、送信データに対してターボ符号等の符号化処理を行い、変調部６２は、符号化後の送信データに対して変調処理を行ってデータシンボルを生成する。ここで、移動局２００は、他の移動局と互いに異なるサブキャリアまたは互いに異なるＲＢを用いて送信データを送信しており、送信データには、ＲＢ毎の受信品質情報が含まれている。
【００４６】
ＩＦＦＴ部２１０は、符号化・変調部２０９から入力されるデータシンボルが割り当てられた複数のＲＢを構成する複数のサブキャリアに対してＩＦＦＴを行って、マルチキャリア信号であるＯＦＤＭシンボルを生成する。
【００４７】
ＣＰ付加部２１１は、ＯＦＤＭシンボルの後尾部分と同じ信号をＣＰとしてＯＦＤＭシンボルの先頭に付加する。
【００４８】
無線送信部２１２は、ＣＰ付加後のＯＦＤＭシンボルに対しＤ／Ａ変換、増幅およびアップコンバート等の送信処理を行ってアンテナ２０１から基地局１００（図１）へ送信する。
【００４９】
次に、本実施の形態におけるＤｃｈのチャネルの配置方法について説明する。以下の説明では、図３に示すように、１ＯＦＤＭシンボルを構成する複数のサブキャリアがＲＢ＃１〜＃１４の１４個のＲＢに均等に分割して構成される場合を一例に挙げて説明する。また、各ＲＢによりＬｃｈ＃１〜＃１４またはＤｃｈ＃１〜＃１４が構成され、適応制御部１１６により、各移動局が使用するチャネルを制御する。また、各移動局へのＬｃｈ割当は、ＲＢグループ単位で行われる。ここでは、図３に示すように、ＲＢ＃１〜＃１４をグループ化してＲＢグループＲＢＧ＃１〜＃７を構成する。ここで、１つのＲＢグループを構成するＲＢ数（以下、ＲＢグループサイズという）を２とする。よって、図３に示すように、ＲＢＧ＃１を構成するＲＢ＃１およびＲＢ＃２にそれぞれ配置されたＬｃｈ＃１とＬｃｈ＃２とは必ず同時に割り当てられ、ＲＢＧ＃２を構成するＲＢ＃３およびＲＢ＃４にそれぞれ配置されたＬｃｈ＃３とＬｃｈ＃４とは必ず同時に割り当てられる。ＲＢＧ＃３〜＃７をそれぞれ構成するＬｃｈ＃５〜＃１４についても同様である。また、図３に示す各ＲＢにおけるＬｃｈの構成、および、以下に示す各ＲＢにおけるＤｃｈの構成は、割当部１０３に予め対応付けられている。
【００５０】
ここで、ＬｃｈについてはＲＢ単位で周波数スケジューリングが行われるため、Ｌｃｈに使用される各ＲＢには、それぞれ１つの移動局だけへのＬｃｈデータシンボルが含まれる。つまり、１つのＲＢにより１つの移動局に対する１つのＬｃｈが構成される。よって、図３に示すように、ＲＢ＃１〜＃１２にＬｃｈ＃１〜＃１２がそれぞれ配置される。つまり、各Ｌｃｈの割当単位は「１ＲＢ×１サブフレーム」である。
【００５１】
一方、Ｄｃｈについては周波数ダイバーシチ送信が行われるため、Ｄｃｈに使用されるＲＢには、それぞれ、複数のＤｃｈデータシンボルが含まれる。ここでは、Ｄｃｈに使用される各ＲＢは２つのサブブロックに時間分割され、各サブブロックに異なるＤｃｈがそれぞれ配置される。つまり、１ＲＢでは複数の異なるＤｃｈが時間多重される。また、異なる２つのＲＢのサブブロックにより１つのＤｃｈが構成される。つまり、各Ｄｃｈの割当単位は「（１ＲＢ×１／２サブフレーム）×２」であり、各Ｌｃｈの割当単位と同一である。
【００５２】
＜配置方法１（図４）＞
本配置方法では、複数のＲＢにおいて、ＲＢグループサイズの整数倍の間隔で１つのＤｃｈを配置する。
【００５３】
つまり、１つのＤｃｈが配置されるＲＢのＲＢ間隔Ｇａｐは、次式（１）で与えられる。
【数１】
0005524395.tif 000002
ただし、Ｎｒｂは総ＲＢ数であり、Ｎｄは１ＲＢあたりのサブブロック分割数であり、ＲＢＧｓｉｚｅはＲＢグループサイズである。
【００５４】
次いで、Ｄｃｈのチャネル番号とそのＤｃｈが配置されるＲＢのＲＢ番号との関係式を示す。Ｄｃｈ＃ｋ  （ｋ＝１〜１２）が配置されるＮｄ個のＲＢ番号（インデックス）ｊは、次式（２）で与えられる。
【数２】
0005524395.tif 000003
【００５５】
ここでは、Ｎｒｂ＝１４、Ｎｄ＝２、ＲＢＧｓｉｚｅ＝２であるので、ＲＢ間隔Ｇａｐは、式（１）より、６（＝ｆｌｏｏｒ（（１４／２）／２）×２）となる。よって、上式（２）は、ｊ＝（（（ｋ−１）＋６・ｐ）ｍｏｄ  １２）  ＋１  （ｐ＝０，１）となる。ただし、ｋ＝１，２，…,１２である。これにより、１つのＤｃｈは、周波数領域で６ＲＢの間隔で離れたＲＢ＃（ｋ）およびＲＢ＃（ｋ＋６）の２ＲＢに分散配置される。換言すると、１つのＤｃｈは、周波数領域でＲＢグループサイズ（ＲＢＧｓｉｚｅ＝２）の整数倍（ここでは３倍）の６ＲＢ間隔だけ離れたＲＢに分散配置される。このＲＢ間隔（ＲＢ間隔６）は、ＲＢグループサイズ（ＲＢＧｓｉｚｅ＝２）の整数倍の間隔のうち、Ｎｒｂ／Ｎｄ（＝１４／２）以下の最大の間隔となる。
【００５６】
具体的には、図４に示すように、Ｄｃｈ＃１，＃７がＲＢ＃１（ＲＢ＃７）に配置され、Ｄｃｈ＃２，＃８がＲＢ＃２（ＲＢ＃８）に配置され、Ｄｃｈ＃３，＃９がＲＢ＃３（ＲＢ＃９）に配置され、Ｄｃｈ＃４，＃１０がＲＢ＃４（ＲＢ＃１０）に配置され、Ｄｃｈ＃５，＃１１がＲＢ＃５（ＲＢ＃１１）に配置され、Ｄｃｈ＃６，＃１２がＲＢ＃６（ＲＢ＃１２）に配置される。つまり、本配置方法では、割当部１０３がＲＢに割り当てることができる最大のＤｃｈ数は１２個となる。
【００５７】
次に、１つの移動局のＤｃｈデータシンボルに対して、４つのＤｃｈを割り当てる場合の基地局１００の割当部１０３（図１）における割当例を図５に示す。ここでは、説明を簡略にするため、Ｄｃｈに使用するＲＢで半端なサブブロックが生じないように、Ｄｃｈ＃１，＃２，＃７，＃８を割り当てる。また、割当部１０３は、図４に示すＤｃｈの配置パターンを予め保持し、図４に示す配置パターンに従ってＤｃｈデータシンボルをＲＢに割り当てる。
【００５８】
割当部１０３は、図５に示すように、Ｄｃｈデータシンボルを、Ｄｃｈ＃１を構成するＲＢ＃１のサブブロックおよびＲＢ＃７のサブブロックと、Ｄｃｈ＃２を構成するＲＢ＃２のサブブロックおよびＲＢ＃８のサブブロックと、Ｄｃｈ＃７を構成するＲＢ＃１のサブブロックおよびＲＢ＃７のサブブロックと、Ｄｃｈ＃８を構成するＲＢ＃２のサブブロックおよびＲＢ＃８のサブブロックとに割り当てる。すなわち、Ｄｃｈデータシンボルは、図５に示すように、ＲＢ＃１，＃２，＃７，＃８に割り当てられる。よって、４つのＤｃｈは、ＲＢＧ＃１を構成するＲＢ＃１，＃２およびＲＢＧ＃４を構成するＲＢ＃７，＃８でＲＢのサブブロックに、ＲＢを余すことなく割り当てられている。
【００５９】
また、割当部１０３は、図５に示すように、Ｄｃｈデータシンボルが割り当てられたＲＢ以外の残りのＲＢ＃３〜＃６およびＲＢ＃９〜＃１４にＬｃｈデータシンボルを割り当てる。上述したように、各Ｌｃｈは、ＲＢグループ単位で割り当てられる。そこで、割当部１０３は、図５に示すように、Ｌｃｈデータシンボルを、Ｌｃｈ＃３およびＬｃｈ＃４がそれぞれ配置されたＲＢＧ＃２を構成するＲＢ＃３およびＲＢ＃４と、Ｌｃｈ＃５およびＬｃｈ＃６がそれぞれ配置されたＲＢＧ＃３を構成するＲＢ＃５およびＲＢ＃６と、Ｌｃｈ＃９およびＬｃｈ＃１０がそれぞれ配置されたＲＢＧ＃５を構成するＲＢ＃９およびＲＢ＃１０と、Ｌｃｈ＃１１およびＬｃｈ＃１２がそれぞれ配置されたＲＢＧ＃６を構成するＲＢ＃１１およびＲＢ＃１２と、Ｌｃｈ＃１３およびＬｃｈ＃１４がそれぞれ配置されたＲＢＧ＃７を構成するＲＢ＃１３およびＲＢ＃１４とに割り当てる。つまり、図３に示すＬｃｈ＃３〜＃６およびＬｃｈ＃９〜＃１４がＬｃｈデータシンボルに使用される。これにより、ＬｃｈデータシンボルをＤｃｈデータシンボルが割り当てられたＲＢ以外のＲＢに割り当てる際、割当部１０３は、Ｌｃｈデータシンボルを、ＲＢを余すことなくＲＢグループ単位で割り当てることができる。
【００６０】
次いで、移動局２００に対して、４つのＤｃｈを使用したＤｃｈデータシンボルが割り当てられた場合の、移動局２００のデマッピング部２０７（図２）における抽出例について説明する。ここでは、説明を簡略にするため、ＲＢで半端なサブブロックが生じないように、Ｄｃｈ＃１，＃２，＃７，＃８がＤｃｈデータシンボルに使用される。また、デマッピング部２０７は、割当部１０３と同様、図４に示すＤｃｈの配置パターンを予め保持し、図４に示す配置パターンに従ってＤｃｈデータシンボルを複数のＲＢから抽出する。
【００６１】
デマッピング部２０７は、割当部１０３と同様にして、図５に示すように、ＲＢ＃１のサブブロックおよびＲＢ＃７のサブブロックで構成されるＤｃｈ＃１と、ＲＢ＃２のサブブロックおよびＲＢ＃８のサブブロックで構成されるＤｃｈ＃２と、ＲＢ＃１のサブブロックおよびＲＢ＃７のサブブロックで構成されるＤｃｈ＃７と、ＲＢ＃２のサブブロックおよびＲＢ＃８のサブブロックで構成されるＤｃｈ＃８とを抽出する。すなわち、デマッピング部２０７は、図５に示すように、ＲＢ＃１，＃２，＃７，＃８に割り当てられたＤｃｈデータシンボルを自局宛てのデータシンボルとして抽出する。換言すると、デマッピング部２０７は、図５に示すように、ＲＢ＃１，＃２で構成されるＲＢＧ＃１、および、ＲＢ＃７，＃８で構成されるＲＢＧ＃４に、ＲＢを余すことなく割り当てられた４つのＤｃｈを自局宛てのデータシンボルとして抽出する。
【００６２】
このように、本配置方法では、１つのＤｃｈが配置されるＲＢのＲＢ間隔が、Ｌｃｈ割当に用いるＲＢグループのＲＢグループサイズの整数倍（本配置方法では３倍）に設定される。これにより、Ｄｃｈが割り当てられた後の残りのＲＢにＬｃｈを割り当てる際、基地局は、使用できないＲＢが生じることなく、ＲＢグループ単位でＬｃｈを割り当てることができる。よって、本配置方法によれば、周波数スケジューリング送信と周波数ダイバーシチ送信とを同時に行う場合でも、通信リソースの利用効率の低下によるシステムスループットの低下を防止することができる。また、本配置方法によれば、空きＲＢが生じることなくＬｃｈを割り当てることができるため、Ｌｃｈのスループットを向上することができる。また、本配置方法によれば、ＬｃｈがＲＢグループ単位で割り当てられるため、Ｌｃｈの割当結果を通知するための制御情報量を削減することができる。
【００６３】
ここで、図４に示す１４ＲＢ（ＲＢ＃１〜＃１４）では最大１４個のＤｃｈが割当可能である。これに対し、本配置方法では、上述したように最大１２個のＤｃｈが割当可能となる。つまり、本配置方法では割当可能なＤｃｈ数は最大でＲＢグループサイズ分（図４では２個のＤｃｈ）だけ減少する。しかし、Ｄｃｈの用途は、移動局の高速移動時のデータ通信などに限られるため、すべてのＲＢにＤｃｈが割り当てられることは極めて稀である。よって、本配置方法による割当可能なＤｃｈ数の減少によるシステムスループットの低下はほとんどない。また、上記システムスループットの低下よりも、本配置方法によって空きＲＢが生じることなくＬｃｈを割り当てられることによるシステムスループットの向上の方がより大きくなる。
【００６４】
なお、本配置方法では、Ｄｃｈを使用する場合に１ＲＢを２分割する場合について説明したが、１ＲＢの分割数は２に限らず、１ＲＢを３分割以上に分割してもよい。例えば、Ｄｃｈを使用する場合に１ＲＢを３分割する場合の配置方法を図６に示す。図６に示す配置方法では、例えば、６個のＤｃｈを割り当てる場合、ＲＢのサブブロックを余すことなくＲＢグループ内にＤｃｈを割り当てることができるため、本配置方法と同様の効果を得ることができる。また、図６に示すように、１Ｄｃｈは３ＲＢに分散して構成されるため、２分割の場合よりもダイバーシチ効果を向上することができる。
【００６５】
＜配置方法２（図７）＞
本配置方法では、複数のＲＢにおいて、ＲＢグループサイズの整数倍の間隔で１つのＤｃｈを配置する点は配置方法１と同じであるが、ＲＢグループサイズの整数倍の間隔で採りうる間隔のうち最大の間隔で１つのＤｃｈを配置する点が配置方法１と相違する。
【００６６】
つまり、１つのＤｃｈが配置されるＲＢのＲＢ間隔Ｇａｐは、次式（３）で与えられる。
【数３】
0005524395.tif 000004
ここで、Ｗｇａｐ＝ｆｌｏｏｒ（（Ｎｒｂ／Ｎｄ）／ＲＢＧｓｉｚｅ）・ＲＢＧｓｉｚｅであり、式（１）と等価である。
【００６７】
そして、Ｄｃｈ＃ｋ  （ｋ＝１〜１２）が配置されるＮｄ個のＲＢ番号（インデックス）ｊは、式（４）で与えられる。
【数４】
0005524395.tif 000005
ただし、ｋ＝１，２，…，ＷｇａｐのＤｃｈは、前半のＲＢのサブブロックに配置され、ｋ＝Ｗｇａｐ＋１，Ｗｇａｐ＋２，…，Ｗｇａｐ×ＮｄのＤｃｈは、後半のＲＢのサブブロックに配置される。
【００６８】
ここでは、Ｎｒｂ＝１４、Ｎｄ＝２、ＲＢＧｓｉｚｅ＝２、Ｗｇａｐ＝６であるので、ＲＢ間隔Ｇａｐは、式（３）より、８（＝ｆｌｏｏｒ（（１４／２）／２）×２＋６）となる。よって、上式（４）は、ｊ＝（（ｋ−１）ｍｏｄ（６））  ＋８×ｐ  （ｐ＝０，１）となる。ただし、ｋ＝１，２，…,１２である。これにより、１つのＤｃｈは、周波数領域で８ＲＢの間隔で離れたＲＢ＃（ｋ）およびＲＢ＃（ｋ＋８）の２ＲＢに分散配置される。換言すると、１つのＤｃｈは、周波数領域でＲＢグループサイズ（ＲＢＧｓｉｚｅ＝２）の整数倍（ここでは４倍）の８ＲＢ間隔だけ離れたＲＢに分散配置される。また、配置方法１のＲＢ間隔（式（１））と比較して、本配置方法（式（３））では、Ｄｃｈが割り当てられないＲＢグループのＲＢ数だけＲＢ間隔が大きくなる。具体的には、配置方法１（図４）では、ＲＢ＃１３，＃１４の２ＲＢにＤｃｈが配置されない。よって、本配置方法におけるＲＢ間隔Ｇａｐは、配置方法１のＲＢ間隔６ＲＢより２ＲＢだけ大きい８ＲＢとなる。これは、配置方法１（図４）では、Ｄｃｈを配置しないＲＢがＲＢ全体の端に割り当てられたのに対し、本配置方法では、Ｄｃｈを配置しないＲＢがＲＢ全体の中心部分に割り当てられたためである。
【００６９】
具体的には、図７に示すように、Ｄｃｈ＃１，＃７がＲＢ＃１（ＲＢ＃９）に配置され、Ｄｃｈ＃２，＃８がＲＢ＃２（ＲＢ＃１０）に配置され、Ｄｃｈ＃３，＃９がＲＢ＃３（ＲＢ＃１１）に配置され、Ｄｃｈ＃４，＃１０がＲＢ＃４（ＲＢ＃１２）に配置され、Ｄｃｈ＃５，＃１１がＲＢ＃５（ＲＢ＃１３）に配置され、Ｄｃｈ＃６，＃１２がＲＢ＃６（ＲＢ＃１４）に配置される。つまり、本配置方法では、配置方法１と同様、割当部１０３がＲＢに割り当てることができる最大のＤｃｈ数は１２個となる。また、配置方法１（図４）では、Ｄｃｈが配置されないＲＢは、ＲＢ＃１〜＃１４の最後尾のＲＢ＃１３，＃１４であるのに対し、本配置方法では、図７に示すように、Ｄｃｈが配置されないＲＢは、ＲＢ＃７，＃８となる。すなわち、ＲＢ全体の中心部分にはいずれのＤｃｈも配置されない。これにより、各Ｄｃｈを構成する２つのＲＢのサブブロックが、ＲＢ＃７，＃８を挟んで、ＲＢ＃１〜＃６とＲＢ＃９〜＃１４とに最大限に広がって配置される。つまり、１４ＲＢにおいて、ＲＢグループサイズの整数倍の間隔で採りうる間隔のうち、最大の間隔（８ＲＢ間隔）でＤｃｈ＃１〜＃１２が配置される。
【００７０】
次に、配置方法１と同様、１つの移動局のＤｃｈデータシンボルに対して、４つのＤｃｈを使用する場合の割当例を図８に示す。ここでは、配置方法１と同様、Ｄｃｈ＃１，＃２，＃７，＃８を割り当てる。また、割当部１０３は、図７に示すＤｃｈの配置パターンを予め保持し、図７に示す配置パターンに従ってＤｃｈデータシンボルをＲＢに割り当てる。
【００７１】
割当部１０３は、図８に示すように、Ｄｃｈデータシンボルを、Ｄｃｈ＃１を構成するＲＢ＃１のサブブロックおよびＲＢ＃９のサブブロックと、Ｄｃｈ＃２を構成するＲＢ＃２のサブブロックおよびＲＢ＃１０のサブブロックと、Ｄｃｈ＃７を構成するＲＢ＃１のサブブロックおよびＲＢ＃９のサブブロックと、Ｄｃｈ＃８を構成するＲＢ＃２のサブブロックおよびＲＢ＃１０のサブブロックとに割り当てる。すなわち、Ｄｃｈデータシンボルは、図８に示すように、ＲＢ＃１，＃２，＃９，＃１０に割り当てられる。つまり、４つのＤｃｈは、ＲＢＧ＃１を構成するＲＢ＃１，＃２およびＲＢＧ＃５を構成するＲＢ＃９，＃１０に、ＲＢのサブブロックを余すことなく割り当てられている。
【００７２】
また、割当部１０３は、図８に示すように、Ｄｃｈデータシンボルが割り当てられたＲＢ以外の残りのＲＢ＃３〜＃８およびＲＢ＃１１〜＃１４にＬｃｈデータシンボルを割り当てる。ここで、割当部１０３は、配置方法１と同様にして、Ｌｃｈデータシンボルを、ＲＢグループ単位で割り当てる。具体的には、割当部１０３は、図８に示すように、Ｌｃｈデータシンボルを、ＲＢＧ＃２，＃３，＃４，＃６，＃７を構成する２つのＲＢにそれぞれ割り当てる。つまり、図３に示すＬｃｈ＃３〜＃８およびＬｃｈ＃１１〜＃１４がＬｃｈデータシンボルに使用される。これにより、ＬｃｈデータシンボルをＤｃｈデータシンボルが割り当てられたＲＢ以外のブロックに割り当てる際、割当部１０３は、配置方法１と同様、Ｌｃｈデータシンボルを、ＲＢを余すことなくＲＢグループ単位で割り当てることができる。
【００７３】
次いで、移動局２００に対して、４つのＤｃｈを使用したＤｃｈデータシンボルが割り当てられた場合の、移動局２００のデマッピング部２０７（図２）における抽出例について説明する。ここでは、配置方法１と同様、Ｄｃｈ＃１，＃２，＃７，＃８がＤｃｈデータシンボルに使用される。また、デマッピング部２０７は、割当部１０３と同様、図７に示すＤｃｈの配置パターンを予め保持し、図７に示す配置パターンに従ってＤｃｈデータシンボルを複数のＲＢから抽出する。
【００７４】
デマッピング部２０７は、割当部１０３と同様にして、図８に示すように、ＲＢ＃１のサブブロックおよびＲＢ＃９のサブブロックで構成されるＤｃｈ＃１と、ＲＢ＃２のサブブロックおよびＲＢ＃１０のサブブロックで構成されるＤｃｈ＃２と、ＲＢ＃１のサブブロックおよびＲＢ＃９のサブブロックで構成されるＤｃｈ＃７と、ＲＢ＃２のサブブロックおよびＲＢ＃１０のサブブロックで構成されるＤｃｈ＃８とを抽出する。すなわち、デマッピング部２０７は、図８に示すように、ＲＢ＃１，＃２，＃７，＃８に割り当てられたＤｃｈデータシンボルを自局宛てのデータシンボルとして抽出する。換言すると、デマッピング部２０７は、図８に示すように、ＲＢ＃１，＃２で構成されるＲＢＧ＃１、および、ＲＢ＃９，＃１０で構成されるＲＢＧ＃５に、ＲＢを余すことなく割り当てられた４つのＤｃｈを自局宛てのデータシンボルとして抽出する。
【００７５】
ここで、図８では、配置方法１（図５）と同様に、Ｄｃｈデータシンボルが４つのＲＢに割り当てられ、Ｌｃｈデータシンボルが１０個のＲＢに割り当てられる。ただし、本配置方法では、図８に示すように、ＤｃｈデータシンボルがＲＢ＃１、ＲＢ＃２、ＲＢ＃９およびＲＢ＃１０に分散して割り当てられるため、Ｄｃｈが配置されないＲＢ間隔（ＲＢ＃７，＃８の２ＲＢ間隔）分だけ配置方法１（図５）よりも間隔が大きくなる。よって、本配置方法によれば、周波数ダイバーシチ効果を向上することができる。
【００７６】
このようにして、本配置方法では、ＲＢグループサイズの整数倍の間隔で採りうる間隔のうち最大の間隔（図７ではＲＢグループサイズ４倍の８ＲＢ間隔）で１つのＤｃｈを配置する。これにより、１つのＤｃｈのＲＢ間隔を最大にしつつ、使用できないＲＢが生じることなく、ＲＢグループ単位でＬｃｈを割り当てることができる。よって、本配置方法によれば、配置方法１と同様の効果を得ることができ、かつ、配置方法１よりも周波数ダイバーシチ効果を向上することができる。
【００７７】
なお、本配置方法では、Ｄｃｈを使用する場合に１ＲＢを２分割する場合について説明したが、配置方法１と同様、１ＲＢの分割数は２に限らず、１ＲＢを３分割以上に分割してもよい。
【００７８】
＜配置方法３（図９）＞
本配置方法では、複数のＲＢにおいて、ＲＢグループサイズの整数倍の間隔で１つのＤｃｈを配置する点は配置方法１と同じであるが、チャネル番号が連続する複数のＤｃｈを１ＲＢに配置する点が配置方法１と相違する。
【００７９】
以下、具体的に説明する。ここでは、配置方法１（図４）と同様、１つのＤｃｈが６ＲＢ間隔で分散配置された２つのＲＢに配置される。
【００８０】
図９に示すように、チャネル番号が連続するＤｃｈ＃１，＃２がＲＢ＃１（ＲＢ＃７）に配置される。同様に、Ｄｃｈ＃３，＃４がＲＢ＃２（ＲＢ＃８）に配置され、Ｄｃｈ＃５，＃６がＲＢ＃３（ＲＢ＃９）に配置され、Ｄｃｈ＃７，＃８がＲＢ＃４（ＲＢ＃１０）に配置され、Ｄｃｈ＃９，＃１０がＲＢ＃５（ＲＢ＃１１）に配置され、Ｄｃｈ＃１１，＃１２がＲＢ＃６（ＲＢ＃１２）に配置される。
【００８１】
これにより、１つのＤｃｈは、６ＲＢ間隔の２つのＲＢに配置されるため、配置方法１と同様にして、Ｄｃｈが割り当てられた後の残りのＲＢにＬｃｈを割り当てる際、使用できないＲＢが生じることなく、ＲＢグループ単位でＬｃｈを割り当てることができる。また、チャネル番号が連続する複数のＤｃｈが１ＲＢに配置されるため、１つの移動局が複数のＤｃｈを使用する場合、１つのＲＢのサブブロックがすべて使用された後に別のＲＢが使用される。よって、１ＲＢを構成する複数のサブブロックのうち、一部のサブブロックにデータシンボルが割り当てられる一方、それ以外のサブブロックが使用されなくなることを最小限にすることができる。これにより、Ｄｃｈのリソース利用効率を向上することができる。
【００８２】
また、配置方法１と同様にして、基地局１００の割当部１０３（図１）および移動局２００のデマッピング部２０７（図２）は、ＲＢとＤｃｈとの対応付けである、図９に示すＤｃｈの配置パターンを予め保持する。そして、基地局１００の割当部１０３は、図９に示すＤｃｈの配置パターンに従って、ＤｃｈデータシンボルをＲＢに割り当てる。一方、移動局２００のデマッピング部２０７は、割当部１０３と同様、図９に示すＤｃｈの配置パターンに従って、複数のＲＢから自局宛てのＤｃｈデータシンボルを抽出する。
【００８３】
このようにして、本配置方法では、チャネル番号が連続する複数のＤｃｈを１ＲＢに配置するため、Ｄｃｈに使用されるＲＢのすべてのサブブロックにデータシンボルが割り当てられる確率が高くなる。よって、配置方法１よりも通信リソース利用効率の低下によるシステムスループットの低下を防ぐことができる。
【００８４】
なお、本配置方法は、配置方法２（図７）と同様にして、ＲＢグループサイズの整数倍の間隔で採りうる間隔のうち最大の間隔で１つのＤｃｈを配置してもよい。具体的には、図１０に示すように、１つのＤｃｈが８ＲＢ間隔で分散配置されたＲＢに配置されてもよい。これにより、本配置方法と同様の効果を得つつ、配置方法２と同様のダイバーシチ効果を得ることができる。
【００８５】
＜配置方法４（図１１）＞
本配置方法では、複数のＲＢにおいて、ＲＢグループサイズの整数倍の間隔で１つのＤｃｈを配置する点は配置方法１と同じであるが、チャネル番号が連続する複数のＤｃｈを１つのＲＢグループを構成する異なるＲＢにそれぞれ配置する点が配置方法１と相違する。
【００８６】
以下、具体的に説明する。ここでは、配置方法１（図４）と同様、１つのＤｃｈが６ＲＢ間隔で分散配置された２つのＲＢに配置される。
【００８７】
図１１に示すように、Ｄｃｈ＃１，＃３がＲＢ＃１（ＲＢ＃７）に配置され、Ｄｃｈ＃２，＃４がＲＢ＃２（ＲＢ＃８）に配置され、Ｄｃｈ＃５，＃７がＲＢ＃３（ＲＢ＃９）に配置され、Ｄｃｈ＃６，＃８がＲＢ＃４（ＲＢ＃１０）に配置され、Ｄｃｈ＃９，＃１１がＲＢ＃５（ＲＢ＃１１）に配置され、Ｄｃｈ＃１０，＃１２がＲＢ＃６（ＲＢ＃１２）に配置される。
【００８８】
すなわち、図１１に示すように、ＲＢＧ＃１（ＲＢＧ＃４）を構成するＲＢ＃１，＃２（ＲＢ＃７，＃８）には、チャネル番号が連続するＤｃｈ＃１〜＃４が配置される。さらに、ＲＢＧ＃１（ＲＢＧ＃４）において、Ｄｃｈ＃１〜＃４のうち、チャネル番号が連続するＤｃｈ＃１（Ｄｃｈ＃３）およびＤｃｈ＃２（Ｄｃｈ＃４）は、ＲＢ＃１，＃２の異なるＲＢにそれぞれ配置される。また、図１１に示すように、チャネル番号が連続するＤｃｈ＃３およびＤｃｈ＃２も、ＲＢ＃１，＃２の異なるＲＢにそれぞれ配置される。ＲＢＧ＃２（ＲＢＧ＃５）およびＲＢＧ＃３（ＲＢＧ＃６）についても同様である。
【００８９】
このように、チャネル番号が連続する複数のＤｃｈが１つのＲＢグループに配置されるため、１つの移動局が複数のＤｃｈを使用する場合でも、Ｄｃｈに対してＲＢグループ単位でＲＢが使用される。そのため、Ｄｃｈに使用されたＲＢ以外のＲＢをＬｃｈに割り当てる際、Ｌｃｈに対してもＲＢグループ単位でＲＢが使用することができる。つまり、ＲＢを余すことなく使用できるため、配置方法１よりも通信リソース利用効率の低下を防ぐことができる。また、ＲＢグループにおいて、チャネル番号が連続するＤｃｈは、異なるＲＢに配置されるため、ダイバーシチ効果を向上することができる。
【００９０】
また、配置方法１と同様にして、基地局１００の割当部１０３（図１）および移動局２００のデマッピング部２０７（図２）は、ＲＢとＤｃｈとの対応付けである、図１１に示すＤｃｈの配置パターンを予め保持する。そして、基地局１００の割当部１０３は、図１１に示すＤｃｈの配置パターンに従って、ＤｃｈデータシンボルをＲＢに割り当てる。一方、移動局２００のデマッピング部２０７は、割当部１０３と同様、図１１に示すＤｃｈの配置パターンに従って、複数のＲＢから自局宛てのＤｃｈデータシンボルを抽出する。
【００９１】
このようにして、本配置方法では、チャネル番号が連続する複数のＤｃｈを１つのＲＢグループを構成する異なるＲＢにそれぞれ配置する。これにより、複数のＤｃｈが使用される場合でも、複数のＤｃｈがＲＢグループ単位でまとめて割り当てられる。つまり、１つの移動局が複数のＤｃｈを使用する場合でも、ＤｃｈがＲＢ単位で割り当てられるため、Ｌｃｈに対してもＲＢグループ単位で割り当てることができる。よって、配置方法１よりも通信リソース利用効率の低下によるシステムスループットの低下を防ぐことができる。さらに、１ＲＢグループ内では、チャネル番号が連続する異なるＤｃｈが異なるＲＢに割り当てられるため、周波数ダイバーシチ効果を向上することができる。
【００９２】
なお、本配置方法は、配置方法２（図７）と同様にして、ＲＢグループサイズの整数倍の間隔で採りうる間隔のうち最大の間隔で１つのＤｃｈを配置してもよい。具体的には、図１２に示すように、１つのＤｃｈが８ＲＢ間隔で分散配置されたＲＢに配置されてもよい。これにより、本配置方法と同様の効果を得つつ、配置方法２と同様のダイバーシチ効果を向上することができる。
【００９３】
＜配置方法５（図１３）＞
本配置方法では、チャネル番号が連続する複数のＤｃｈを、１つのＲＢグループを構成する異なるＲＢにそれぞれ配置する点は配置方法４と同じであるが、チャネル番号が不連続である複数のＤｃｈを、互いに隣接するＲＢグループをそれぞれ構成する複数のＲＢのうち互いに隣接するＲＢにそれぞれ配置する点が配置方法４と相違する。
【００９４】
以下、具体的に説明する。ここでは、配置方法１（図４）と同様、１つのＤｃｈが６ＲＢ間隔で分散配置された２つのＲＢに配置される。
【００９５】
図１３に示すように、Ｄｃｈ＃１，＃７がＲＢ＃１（ＲＢ＃７）に配置され、Ｄｃｈ＃２，＃８がＲＢ＃２（ＲＢ＃８）に配置され、Ｄｃｈ＃５，＃１１がＲＢ＃３（ＲＢ＃９）に配置され、Ｄｃｈ＃６，＃１２がＲＢ＃４（ＲＢ＃１０）に配置され、Ｄｃｈ＃３，＃９がＲＢ＃５（ＲＢ＃１１）に配置され、Ｄｃｈ＃４，＃１０がＲＢ＃６（ＲＢ＃１２）に配置される。
【００９６】
すなわち、図１３に示すように、ＲＢＧ＃１を構成するＲＢ＃１，＃２では、チャネル番号が連続するＤｃｈ＃１，＃２（Ｄｃｈ＃７，＃８）が配置される。同様に、ＲＢＧ＃２を構成するＲＢ＃３，＃４では、チャネル番号が連続するＤｃｈ＃５，＃６（Ｄｃｈ＃１１，＃１２）が配置され、ＲＢＧ＃３を構成するＲＢ＃５，＃６では、チャネル番号が連続するＤｃｈ＃３，＃４（Ｄｃｈ＃９，＃１０）が配置される。
【００９７】
また、互いに隣接するＲＢＧ＃１（ＲＢ＃１，＃２）とＲＢＧ＃２（ＲＢ＃３，＃４）とをそれぞれ構成するＲＢのうち互いに隣接するＲＢ（つまり、ＲＢＧ＃１とＲＢＧ＃２との境界のＲＢ）であるＲＢ＃２およびＲＢ＃３には、チャネル番号が不連続である異なる複数のＤｃｈが配置される。具体的には、図１３に示すように、ＲＢ＃２およびＲＢ＃３に、チャネル番号が不連続であるＤｃｈ＃２およびＤｃｈ＃５（Ｄｃｈ＃８およびＤｃｈ＃１１）がそれぞれ配置される。同様に、ＲＢＧ＃２を構成するＲＢ＃３，＃４およびＲＢＧ＃３を構成するＲＢ＃５，＃６のうち互いに隣接するＲＢ＃４およびＲＢ＃５に、チャネル番号が不連続であるＤｃｈ＃６およびＤｃｈ＃３（Ｄｃｈ＃１２およびＤｃｈ＃９）がそれぞれ配置される。ＲＢＧ＃４〜ＲＢＧ＃６についても同様である。
【００９８】
このようにして、１つのＲＢグループには、チャネル番号が連続する２つのＤｃｈが少なくとも１組配置される。また、互いに隣接するＲＢグループをそれぞれ構成する複数のＲＢのうち互いに隣接するＲＢに配置されたＤｃｈのチャネル番号は不連続となる。換言すると、異なるＲＢグループに配置されたＤｃｈのうちチャネル番号が連続するＤｃｈは、周波数領域で分散されたＲＢに配置される。
【００９９】
これにより、１つの移動局が使用するＤｃｈが多い場合、割当部１０３は、Ｄｃｈを周波数領域で分散されたＲＢに割り当てるため、周波数ダイバーシチ効果を得ることができる。一方、１つの移動局が使用するＤｃｈが少ない場合、割当部１０３は、ＤｃｈをＲＢグループ内にまとめて割り当てることができる。これにより、Ｄｃｈに使用されたＲＢ以外のＲＢをＬｃｈに割り当てる際、Ｌｃｈに対してもＲＢグループ単位でＲＢが使用することができる。つまり、ＲＢを余すことなく使用できるため、通信リソース利用効率の低下を防ぐことができる。
【０１００】
また、配置方法１と同様にして、基地局１００の割当部１０３（図１）および移動局２００のデマッピング部２０７（図２）は、ＲＢとＤｃｈとの対応付けである、図１３に示すＤｃｈの配置パターンを予め保持する。そして、基地局１００の割当部１０３は、図１３に示すＤｃｈの配置パターンに従って、ＤｃｈデータシンボルをＲＢに割り当てる。一方、移動局２００のデマッピング部２０７は、割当部１０３と同様、図１３に示すＤｃｈの配置パターンに従って、複数のＲＢから自局宛てのＤｃｈデータシンボルを抽出する。
【０１０１】
このようにして、本配置方法では、チャネル番号が不連続である複数のＤｃｈを、互いに隣接するＲＢグループをそれぞれ構成する複数のＲＢのうち互いに隣接するＲＢにそれぞれ配置する。これにより、１つの移動局が使用するＤｃｈが少ない場合には、配置方法１と同様、通信リソース利用効率の低下によるシステムスループットの低下を防ぐことができ、かつ、１つの移動局が使用するＤｃｈが多い場合には、周波数ダイバーシチ効果を向上することができる。
【０１０２】
なお、本配置方法は、配置方法２（図７）と同様にして、ＲＢグループサイズの整数倍の間隔で採りうる間隔のうち最大の間隔で１つのＤｃｈを配置してもよい。具体的には、図１４に示すように、１つのＤｃｈが８ＲＢ間隔で分散配置されたＲＢに配置されてもよい。これにより、本配置方法と同様の効果を得つつ、配置方法２と同様のダイバーシチ効果を得ることができる。
【０１０３】
以上、本実施の形態における配置方法１〜５について説明した。
【０１０４】
このように、本実施の形態によれば、Ｌｃｈにおける周波数スケジューリング送信とＤｃｈにおける周波数ダイバーシチ送信とを同時に行う場合でも、通信リソースの利用効率の低下を防ぐことができる。
【０１０５】
以上、本発明の実施の形態について説明した。
【０１０６】
なお、上記実施の形態では、ＤｃｈをＲＢに配置するチャネル配置方法は、式（１）または式（３）に示すように、システム帯域幅によって決定される総ＲＢ数（Ｎｒｂ）に依存する。そこで、基地局および移動局は、システム帯域幅毎にＤｃｈチャネル番号とＲＢ番号との対応表（例えば、図４，図７，図９，図１１，図１３等）を保持しておき、Ｄｃｈデータシンボル割当の際に、Ｄｃｈデータシンボルを割り当てるシステム帯域幅に対応する対応表を参照するようにしてもよい。
【０１０７】
また、上記実施の形態では、基地局が受信する信号（すなわち、移動局が上り回線で送信する信号）をＯＦＤＭ方式で伝送されるものとして説明したが、この信号は、例えばシングルキャリア方式またはＣＤＭＡ方式等、ＯＦＤＭ方式以外の伝送方式で伝送されてもよい。
【０１０８】
また、上記実施の形態では、ＲＢは、ＯＦＤＭシンボルを構成する複数のサブキャリアから構成される場合について説明したが、これには限られず、連続する周波数で構成されるブロックであればよい。
【０１０９】
また、上記実施の形態では、ＲＢは周波数領域で連続して構成される場合について説明したが、ＲＢは時間領域に連続して構成されてもよい。
【０１１０】
また、上記実施の形態では、基地局が送信する信号（すなわち、基地局が下り回線で送信する信号）に対して適用する場合について説明したが、本発明は、基地局が受信する信号（すなわち、移動局が上り回線で送信する信号）に対して適用してもよい。この場合、基地局が上り回線の信号に対するＲＢ割当などの適応制御を行う。
【０１１１】
また、上記実施の形態では、Ｌｃｈに対してのみ適応変調を行ったが、Ｄｃｈに対しても同様に適応変調を行ってもよい。このとき、基地局では、各移動局から報告される全帯域の平均受信品質情報に基づいてＤｃｈデータに対する適応変調を行ってもよい。
【０１１２】
また、上記実施の形態では、Ｄｃｈに使用するＲＢは時間領域で複数のサブブロックに分割されるものとして説明したが、Ｄｃｈに使用するＲＢは、周波数領域で複数のサブブロックに分割されてもよく、時間領域および周波数領域で複数のサブブロックに分割されてもよい。つまり、１ＲＢにおいて、複数のＤｃｈが周波数多重されてもよく、時間多重および周波数多重されてもよい。
【０１１３】
また、本実施の形態では、１移動局にチャネル番号が連続する異なる複数のＤｃｈを割り当てる場合、先頭のチャネル番号および末尾のチャネル番号のみを基地局から移動局に通知する場合について説明したが、例えば、先頭のチャネル番号およびチャネル数を基地局から移動局に通知してもよい。
【０１１４】
また、本実施の形態では、１Ｄｃｈを周波数領域で等間隔に分散配置されたＲＢに配置する場合について説明したが、１Ｄｃｈを配置するＲＢは、周波数領域で等間隔に分散配置されたＲＢに限らない。
【０１１５】
また、上記実施の形態では、周波数ダイバーシチ送信を行うためのチャネルにＤｃｈを使用したが、使用するチャネルはＤｃｈに限らず、周波数領域で、複数のＲＢまたは、複数のサブキャリアに分散配置され、周波数ダイバーシチ効果を得ることができるチャネルであればよい。また、周波数スケジューリング送信を行うためのチャネルにＬｃｈを使用したが、使用するチャネルはＬｃｈに限らず、マルチユーザダイバーシチ効果を得ることができるチャネルであればよい。
【０１１６】
また、ＤｃｈはＤＶＲＢ（Distributed Virtual Resource Block）、ＬｃｈはＬＶＲＢ（Localized Virtual Resource Block）と称されることもある。また、Ｄｃｈに使用されるＲＢはＤＲＢまたはＤＰＲＢ（Distributed Physical Resource Block）と称されることもあり、Ｌｃｈに使用されるＲＢはＬＲＢまたはＬＰＲＢ（Localized Physical Resource Block）と称されることもある。
【０１１７】
また、移動局はUE、基地局装置はNode B、サブキャリアはトーンと称されることもある。また、ＲＢは、サブチャネル、サブキャリアブロック、サブキャリアグループ、サブバンド、または、チャンクと称されることもある。また、ＣＰは、ガードインターバル（Guard Interval：ＧＩ）と称されることもある。また、サブフレームはスロット、フレームと称されることもある。サブブロックはスロットと称されることもある。
【０１１８】
また、上記実施の形態では、ＲＢを時間領域で２つのサブブロックに分割してＤｃｈを割り当てる場合について説明したが、分割されたサブブロックのことをＲＢと称することもある。この場合、符号化および適応制御等が時間領域の２つのＲＢで行われる。
【０１１９】
また、上記実施の形態では、本発明をハードウェアで構成する場合を例にとって説明したが、本発明はソフトウェアで実現することも可能である。
【０１２０】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１２２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２３】
２００８年１月４日出願の特願２００８−０００１９８および２００８年３月１２日出願の特願２００８−０６２９７０の日本出願に含まれる明細書、図面および要約書の開示内容は、すべて本願に援用される。
【産業上の利用可能性】
【０１２４】
本発明は、移動体通信システム等に適用することができる。
【図１】
0005524395.tif 000006
【図２】
0005524395.tif 000007
【図３】
0005524395.tif 000008
【図４】
0005524395.tif 000009
【図５】
0005524395.tif 000010
【図６】
0005524395.tif 000011
【図７】
0005524395.tif 000012
【図８】
0005524395.tif 000013
【図９】
0005524395.tif 000014
【図１０】
0005524395.tif 000015
【図１１】
0005524395.tif 000016
【図１２】
0005524395.tif 000017
【図１３】
0005524395.tif 000018
【図１４】
0005524395.tif 000019